(57)【要約】【課題】制御盤の盤本体部内に収納されている電気機器を保守、点検等の際に容易に盤本体部内から引き出すことができるようにする。【解決手段】制御盤１は、電気機器２を収納する盤本体部３と、該本体部３の開口部３ａを開閉する蓋部４と、を備えている。　盤本体部４は、電気機器２をスライド可能に支持する盤本体部側のレール１１を備えている。蓋部４は、盤本体部３に対して所定の角度に開いたときに、盤本体部側のレール１１に対して一直線状に連なるように並んで、電気機器２をスライド可能に支持する蓋部側のレール１２備えている。盤本体部側のレール１１と蓋部側のレール１２によって、電気機器２を盤本体部３内から蓋部４側に引き出す。【選択図】　図３
2004039654.tif 000002
【特許請求の範囲】
【請求項１】
電気機器を収納する盤本体部と、該盤本体部の開口部の一側部に回動可能に取付けられていて該開口部を開閉する蓋部と、を備えた電気機器を収納する盤において、
前記盤本体部は、前記電気機器に設けたレール係合部が係合して前記電気機器をスライド可能に支持する盤本体部側のレールを備え、
前記蓋部は、前記盤本体部に対して所定の角度に開いたときに、前記盤本体部側のレールに対して一直線状に連なるように並んで、前記盤本体部側のレールをスライドしてきた前記電気機器のレール係合部が係合する蓋部側のレールを備えていることを特徴とする電気機器を収納する盤。
【請求項２】
前記電気機器に設けたレール係合部は、前記電気機器の背面に取付けられているコ字状の補強金具により形成されていることを特徴とする請求項１に記載の盤。
【請求項３】
盤本体部に電気機器を引き出し可能に取付ける電気機器の取付構造であって、該電気機器の取付構造は、
電気機器を収納する盤本体部に設けられていて、前記電気機器に設けたレール係合部が係合して前記電気機器をスライド可能に支持する盤本体部側のレールと、
前記盤本体部の開口部を開閉する蓋部に設けられていて、前記盤本体部に対して蓋部を所定の角度に開いたときに、前記盤本体部側のレールに対して一直線状に連なるように並んで、前記盤本体部側のレールをスライドしてきた前記電気機器のレール係合部が係合する蓋部側のレールと、
で構成されていることを特徴とする電気機器の取付構造。
【発明の詳細な説明】
【０００１】
【発明の属する技術分野】
本発明は、インバータ装置を収納する制御盤等の電気機器を収納する盤及び盤本体部等への電気機器の取付構造に関するものである。
【０００２】
【従来の技術】
図１１に示すように、制御盤１０１として、インバータ装置１０２を収納した盤本体部１０３と、該盤本体部１０３の開口部１０３ａを開閉する蓋部１０４とからなるものが知られている。前記インバータ装置１０２は、保守、点検等のメンテナンスの利便性を考慮して、その正面１０２ａを前記盤本体部１０３の開口部１０３ａに向けた状態で前記盤本体部１０３内に取付けられている。
【０００３】
ところで、前記制御盤の薄型化を図るために、図１２に示すように、メンテナンス方向を無視して、前記インバータ装置１０２の正面１０２ａを前記盤本体部１０３の側面１０３ｂ側に向け、前記インバータ装置１０２の側面１０２ｂを前記盤本体部１０３の開口部１０３ａに向けた状態で前記盤本体部１０３内に取付けた所謂縦長型（側面前方型）の制御盤１１１も開発されている。
【０００４】
【発明が解決しようとする課題】
ところで、前記縦長型の制御盤１１１にあっては、前記インバータ装置１０２の正面１０２ｂ、即ちメンテナンス面が前記盤本体部１０３の開口部１０３ａに対向していないために、前記インバータ装置１０２を前記盤本体部１０３の開口部１０３ａから引き出して、前記正面１０２ｂ側を露出させた状態にしないと、前記インバータ装置１０２の保守点検等を行うことが困難である。
【０００５】
そこで、従来からインバータ装置１０２を盤本体部１０３から外部に引き出したり、或いは前記インバータ装置１０２を盤本体部１０３内で回転させて、その正面１０２ａを盤本体部１０３の開口部１０３ａ側に向けるようにするための各種の手段が講じられてきたが、これらの手段はいずれも構造が複雑で大掛かりものになり、また、操作性も悪いという問題点があった。
【０００６】
本発明は、前記従来の問題点を解決し、簡単な構造で、容易にインバータ装置を盤本体部に出し入れできる制御盤、配電盤等を提供することを目的として成されたものである。
【０００７】
【課題を解決するための手段】
斯る目的を達成するための請求項１の発明は、
電気機器を収納する盤本体部と、該盤本体部の開口部の一側部に回動可能に取付けられていて該開口部を開閉する蓋部と、を備えた電気機器を収納する盤において、
前記盤本体部に、前記電気機器に設けたレール係合部が係合して前記電気機器をスライド可能に支持する盤本体部側のレールを設けると共に、前記蓋部に、前記盤本体部に対して所定の角度に開いたときに、前記盤本体部側のレールに対して一直線状に連なるように並んで、前記盤本体部側のレールをスライドしてきた電気機器のレール係合部が係合して前記電気機器をスライド可能に支持する蓋部側のレールを設け、
前記盤本体部側のレールと蓋部側のレールによって、電気機器を前記盤本体部内から、前記盤本体部に対して所定の角度に開いた蓋部側に引き出すことができるようにすると共に、蓋部側に引き出した電気機器を前記盤本体部内に戻すことができるようにした。
【０００８】
請求項２の発明は、請求項１の盤において
前記電気機器に設けたレール係合部を、前記電気機器の背面に取付けられている略コ字状の補強金具を利用して形成することにより、
部品点数の削減とレール係合部の前記電気機器への組付作業の削減を図った。
【０００９】
請求項３の発明は、盤本体部に電気機器を引き出し可能に取付ける電気機器の取付構造において、
電気機器を収納する盤本体部に、電気機器に設けたレール係合部が係合して前記電気機器をスライド可能に支持する盤本体部側のレールを設け、前記盤本体部の開口部を開閉する蓋部に、前記盤本体部に対して蓋部を所定の角度に開いたときに、前記盤本体部側のレールに対して一直線状に連なるように並ぶ蓋部側のレールを設けるという簡単な構造で、
電気機器を、盤本体部側から蓋部側にスライド移動させ、また蓋部側に盤本体部側にスライド移動させることができるようにした。
【００１０】
【発明の実施の形態】
以下、本発明をインバータ装置を収納した制御盤を例にとって説明する。
【００１１】
図１に示すように、制御盤１は、インバータ装置２を収納した盤本体部３と、該盤本体部３の開口部３ａを開閉する蓋部４とからなっている。
【００１２】
図２に示すように、前記インバータ装置２は、装置本体部２ａと、該装置本体部２ａの正面にボルト２ｂ等で着脱可能に取付けられたカバー２ｃとからなっていて、該カバー２ｃの中央部には表示パネル２ｄが設けられ、前記カバー２ｃの下部には端子２ｅが設けられている。
【００１３】
前記インバータ装置２は、正面２ｆ側すなわちカバー２ｃ側の幅Ｗ１よりも側面２ｇ側の幅Ｗ２が幅狭に形成されている。
【００１４】
図２に破線で示すように、インバータ装置２は、背面側の上縁部に次に説明する盤本体部３と蓋部４に設けたレール１１、１２に係合するレール係合部１３を備えている。
【００１５】
前記レール係合部１３は、インバータ装置２の背面にボルトにより止着されるベース部１３ａと、該ベース部１３ａの下端部から前記インバータ装置２の背面から離間する方向に略直角に延びる第１の折曲部１３ｂと、該第１の折曲部１３ｂの先端部から下方に向けて前記インバータ装置２の背面に沿って略平行に延びる第２の折曲部１３ｃと、を備えている。
【００１６】
図３に示すように、前記盤本体部３は、前記インバータ装置２の背面側に設けたレール係合部１３が係合してインバータ装置２をスライド可能に支持する盤本体部側のレール１１を備えている。また、前記蓋部４は、前記盤本体部３に対して所定の角度に開いたときに、前記盤本体部側のレール１１に対して一直線状に連なるように並んで、前記盤本体部３側からスライドしてきたインバータ装置２を支持する蓋部側のレール１２を備えている。
【００１７】
図４に示すように、前記盤本体部側のレール１１は、盤本体部３の第１の内側面３ｂにボルト３ｃにより止着されるベース部１１ａと、該ベース部１１ａの上端部から前記盤本体部３の第１の内側面３ｂから離間する方向に略直角に延びる第１の折曲部１１ｂと、該第１の折曲部１１ｂの先端部から上方に向けて前記盤本体部３の第１の内側面３ｂに沿って略平行に延びる第２の折曲部１１ｃと、を備えている。
【００１８】
前記第２の折曲部１１ｃは、前記盤本体部３の開口部３ａの枠部３ｄ（図３参照）よりも内側（盤本体部３の中央部側）に突出していて、前記インバータ装置２のレール係合部１３を係合させて、前記レール１１に沿ってインバータ装置２をスライドさせる場合に、該レール係合部１３が前記盤本体部３の枠部３ｄ及び蓋部４の枠部４ｃに干渉することのないように構成されている。
【００１９】
図５に示すように、前記蓋部側のレール１２は、蓋部４の内側面４ａにボルト４ｂによって止着されるベース部１２ａと、該ベース部１２ａの上端部から前記蓋部４の内側面４ａから離間する方向に略直角に延びる第１の折曲部１２ｂと、該第１の折曲部１２ｂの先端部から上方に向けて前記蓋部４の内側面４ａに沿って略平行に延びる第２の折曲部１２ｃと、を備えている。
【００２０】
前記第２の折曲部１２ｃは、前記蓋部４の枠部４ｃよりも外側（前記内側面４ａから離間する方向）に突出していて、前記インバータ装置２のレール係合部１３に干渉することのないように構成されている。前記盤本体部側のレール１１と蓋部側のレール１２は、略同じ形状及び同じ大きさに形成されている。
【００２１】
前記盤本体部側のレール１１と蓋部側のレール１２は、図３に示すように、前記盤本体部３に対して前記蓋部４を９０°の角度に開いたときに、前記盤本体部側のレール１１の一端部と、蓋部側のレール１２の一端部とは、前記盤本体部３の開口部３ａの枠部３ｄ及び蓋部４の枠部４ｃを介して所定の間隔（前記インバータ装置２のレール係合部１３の長さの数分の一の間隔）を以って対向するようになっている。なお、前記盤１には前記盤本体部３に対して前記蓋部４を９０°の角度に開いた状態に維持するためのスットッパー１４が設けられている。また、図４、図５に示すように、前記インバータ装置２の背面の上下縁には、補強のためのコ字状の補強金具１５が設けられている。
【００２２】
前記コ字状の補強金具１５は、インバータ装置２の内部部品の取付ネジ１６が他部材に接触するのを防止する取付ネジ保護部材として作用する。
【００２３】
次に、前記盤１の使用方法について説明する。
【００２４】
前記盤本体部３へのインバータ装置２の収納（取付け）は、例えば以下のような方法で行われる。
【００２５】
先ず、前記盤本体部３に対して前記蓋部４を略１８０°回動させて、全開状態にしておく。次に、図６、図７に示すように、前記インバータ装置２をインバータ装置組付治具２１で前記盤本体部側のレール１１に組付ける。
【００２６】
前記インバータ装置組付治具２１は、インバータ装置２をスライド可能に支持する治具レール２２と、該治具レール２２を支持しているフレーム２３と、を備えていて、前記治具レール２２に支持されているインバータ装置２をスライドさせて、前記インバータ装置２の背面側に設けたレール係合部１３を前記盤本体部３側のレール１１に係合させるようになっている。
【００２７】
前記フレーム２３は、前記治具レール２２の高さ位置が調整可能になっていて、前記治具レール２２の高さ位置を前記盤本体部３側のレール１１の高さ位置に揃えることにより、前記治具レール２２に支持されているインバータ装置２を、前記盤本体部３側のレール１１に送り込むことができるようになっていると共に、スットパー付のキャスター２４によって搬送可能になっている。
【００２８】
また、前記盤本体部３側のレール１１に支持されているインバータ装置２をメンテナンス等のために蓋部４側に引き出す作業は、以下のようにして行われる。
【００２９】
先ず、図３に示すように、前記盤本体部３に対して前記蓋部４を９０°の角度に開いた状態にして、前記ストッパー１４で前記蓋部４をロックする。
【００３０】
そして、前記盤本体部３側のレール１１に支持されているインバータ装置２を蓋部４側にスライドさせれば、前記インバータ装置２の背面側に設けたレール係合部１３が蓋部４側のレール１２に係合して、図８に示すように、インバータ装置２は、蓋部４側に乗り移って、前記９０°の角度に開かれた蓋部４に支持された状態になる。
【００３１】
前記蓋部４に支持されたインバータ装置２は、背面側が蓋部４に支持され、正面２ｆ側が露出した状態になるので、正面側からの保守、点検等を容易に行うことが可能になるのである。
【００３２】
そして、保守、点検等を終了したら、今度はインバータ装置２を盤本体部３側にスライドさせれば、インバータ装置２の背面側に設けたレール係合部１３が盤本体部３側のレール１１に係合し、インバータ装置２は、再び盤本体部３内に収納、支持された状態になるのである。
【００３３】
なお、図９、図１０は、前記レール係合部１３の変形例を示す。これらの変形例においては、前記インバータ装置２の背面に取付けたコ字状の補強金具１５を利用して前記レール係合部１３を形成した場合を示している。
【００３４】
図９に示す第１の変形例において、前記コ字状の補強金具１５の開口側の両端部に内側（互いに接近する方向）に延びる第１、第２の延長片３１，３２を設けることにより形成されている。この場合に、前記盤本体部側のレール１１と蓋部側のレール１２は、略Ｔ字状に形成される。
【００３５】
図１０に示す第２の変形例において、前記コ字状金具１５の開口側の一端部に外側に向かって延びる第３の延長片３３を設けることにより形成されている。他の構成は基本例と同じであるので重複する説明は省略する。
【００３６】
なお、前記実施の形態においては、インバータ装置２のレール係合部１３をインバータ装置２の背面の上端部側に設け、インバータ装置２の上端部側のみを前記盤本体部３に設けた盤本体部側のレール１１或いは蓋部４側に設けた蓋部側のレール１２で支持する構成にしたが、インバータ装置２の背面の上端部側と下端部側の両方にレール係合部１３を設ける共に、前記盤本体部３及び蓋部４側にもそれぞれインバータ装置２の背面の上端部側と下端部側の両方のレール係合部１３に係合する２条の盤本体部側のレール１１或いは蓋部側のレール１２を設けることによりインバータ装置２を、より安定した状態で支持する構成にしても良い。また、盤本体部側のレール１１或いは蓋部側のレール１２に沿ってインバータ装置２をより円滑にスライドさせるためにローラ等を使用しても良い。また、本発明の盤は、制御盤に限らず配電盤や操作盤等であっても良い。また、盤本体部内に収納される電気機器はインバータ装置に限定されるものではない。
【００３７】
【発明の効果】
本発明には、次に述べるような効果がある。
（１）請求項１の発明は、盤本体部に対して蓋部を所定の角度に開くと、盤本体部側のレールに対して蓋部側のレールが一直線状に連なるように並ぶので、盤本体部側のレールに支持されている電気機器を蓋部側のレール側にスライドさせることにより前記電気機器を蓋部側に容易に取出すことができる。従って、電気機器のメンテナンス面等を考慮しないで電気機器を盤本体部に収納することが可能になるので、盤の薄型化等を図る上で有利なものになる。
（２）請求項２の発明は、電気機器のレール係合部に、電気機器の背面に取付けられている略コ字状の補強金具を利用したので、その分、部品点数の削減とレール係合部の電気機器への組付作業の削減を図ることができる。
（３）請求項３の発明は、電気機器を収納する盤本体部に、電気機器に設けたレール係合部が係合して前記電気機器をスライド可能に支持する盤本体部側のレールを設け、前記盤本体部の開口部を開閉する蓋部に、前記盤本体部に対して蓋部を所定の角度に開いたときに、前記盤本体部側のレールに対して一直線状に連なるように並ぶ蓋部側のレールを設けるという簡単な構造で、電気機器を、盤本体部側から蓋部側にスライド移動させ、また蓋部側に盤本体部側にスライド移動させることができる。
【図面の簡単な説明】
【図１】本発明の制御盤の蓋部を開いた状態の正面図。
【図２】インバータ装置の斜視図。
【図３】蓋部を９０°開いた状態の斜視図。
【図４】図３のＡ−Ａ断面図。
【図５】図３のＢ−Ｂ断面図。
【図６】インバータ装置を盤本体部に収納する状態を示す説明図。
【図７】インバータ装置を盤本体部に収納する状態を示す説明図。
【図８】インバータ装置を盤本体部から蓋部側に移動させた状態を示す説明図。
【図９】インバータ装置の背面に設けたレール係合部の第１の変形例の断面図。
【図１０】インバータ装置の背面に設けたレール係合部の第２の変形例の断面図。
【図１１】従来例の説明図。
【図１２】従来例の説明図。
【符号の説明】
１…制御盤
２…インバータ装置
３…盤本体部
４…蓋部
１１…盤本体部側のレール
１２…蓋部側のレール
１３…レール係合部
１５…コ字状の補強金具
【図１】
2004039654.tif 000003
【図２】
2004039654.tif 000004
【図３】
2004039654.tif 000005
【図４】
2004039654.tif 000006
【図５】
2004039654.tif 000007
【図６】
2004039654.tif 000008
【図７】
2004039654.tif 000009
【図８】
2004039654.tif 000010
【図９】
2004039654.tif 000011
【図１０】
2004039654.tif 000012
【図１１】
2004039654.tif 000013
【図１２】
2004039654.tif 000014